(57)【特許請求の範囲】
【請求項１】
ソースパン又はフライパンといった料理用容器(3)に把手(2)を取り付けるためのものであって、上記料理用容器(3)に取り外し不能に取り付けられている保持要素(4)を備えた把手固定装置(1)であって、
一方の上記保持要素(4)と、他方の把手側の保持装置(7)とが専ら点状接触及び／又は線状接触しており、
上記保持要素(4)は、上記把手(2)が上記料理用容器(3)に取り付けられているときに、上記把手側の保持装置(7)の保持頭部(6)の後ろ側に係合する、弾性的なラッチ要素(5)を有しており、
上記保持要素(4)を掴み、且つ、上記保持頭部(6)のための通過開口(9)を有するアダプタ要素(8)が設けられていることを特徴とする把手固定装置。
【請求項２】
請求項１に記載の把手固定装置において、
上記保持要素(4)は、中空であり、２つのＵ脚に接続するウェブ(14)に上記ラッチ要素(5)が形成されている、Ｕ字状の横断面を有していることを特徴とする把手固定装置。
【請求項３】
請求項１又は２に記載の把手固定装置において、
上記アダプタ要素(8)は、プラスティックで形成されていることを特徴とする把手固定装置。
【請求項４】
請求項１〜３のいずれか１つに記載の把手固定装置において、
上記アダプタ要素(8)を覆う、金属から成る遮蔽要素(11)が設けられていることを特徴とする把手固定装置。
【請求項５】
請求項１〜４のいずれか１つに記載の把手固定装置において、
上記保持頭部(6)は、上記把手(2)の一部で形成されていることを特徴とする把手固定装置。
【請求項６】
請求項１〜５のいずれか１つに記載の把手固定装置において、
上記保持頭部(6)は、上記把手(2)とは別個に形成され、且つ、クランプ要素(10)によって、上記把手(2)に固定されていることを特徴とする把手固定装置。
【請求項７】
請求項４〜６のいずれか１つに記載の把手固定装置において、
上記アダプタ要素(8)は、上記把手(2)が上記料理用容器(3)に取り付けられているときに、ラッチ穴(13)と相互に作用するラッチ突起(12)を有していて、当該ラッチ穴(13)は、上記把手(2)又は上記遮蔽要素(11)に、当該ラッチ突起(12)に対して相補的に形成されていることを特徴とする把手固定装置。
【請求項８】
請求項１〜７のいずれか１つに記載の把手固定装置において、
上記保持要素(4)は、少なくとも１つの溶接点によって上記料理用容器(3)に取り付けられていることを特徴とする把手固定装置。
【請求項９】
請求項１〜８のいずれか１つに記載の把手固定装置において、
上記保持要素(4)は、櫛形のＵ脚を有していることを特徴とする把手固定装置。
【請求項１０】
請求項４〜９のいずれか１つに記載の把手固定装置において、
上記アダプタ要素(8)及び／又は上記遮蔽要素(11)は、上記料理用容器(3)に支持されていることを特徴とする把手固定装置。
【請求項１１】
請求項１〜１０のいずれか１つに記載の把手固定装置において、
上記保持装置(7)を上記保持要素(4)から隔離する絶縁要素(15)又はコーティングが、当該保持要素(4)と当該把手側の保持装置(7)との間に設けられていることを特徴とする把手固定装置。
【請求項１２】
請求項１〜１１のいずれか１つに記載の把手固定装置(1)を備える、料理用容器。
【発明の詳細な説明】
【技術分野】
【０００１】
本発明は、請求項１のプリアンブルに一致する、把手を料理用容器又はそのようなものに取り付けるための把手固定装置に関するものである。また、本発明は、かかる固定装置が取り付けられた料理用容器に関するものでもある。
【背景技術】
【０００２】
特許文献１には、料理用容器又はそのようなものの軸受用途に把手部品をラッチさせるための、一般的な把手固定装置が開示されている。上記把手固定装置は、特に、把手部品が不意に外れたり、これに伴って把手部品が料理用容器から不意に分離したりするを防ぐことができるように構成されるべきである。これを達成するために、既知の把手固定装置は、一方の料理用容器と他方の把手との間で相互に独立して働く２つのラッチ結合部を有している。
【０００３】
特許文献２には、把手を料理用容器に固定するための他の装置が開示されている。把手固定装置は、中空金属把手として形成されたスティック形式の把手の固定を可能とし、これによって重量が減少するおかげで、スティック形式の把手が取り付けられた料理用容器の取り扱いが簡単になる。
【０００４】
その他の把手固定装置は、例えば、特許文献３〜６によって知られている。
【先行技術文献】
【特許文献】
【０００５】
【特許文献１】ＤＥ  ９４  １４  ２３３  Ｕ１
【特許文献２】ＤＥ  ９４  ０５  ５９７  Ｕ１
【特許文献３】ＤＥ  ３４  ０７  ５０３  Ｃ２
【特許文献４】ＤＥ  １０３  ２２  ４０９  Ａ１
【特許文献５】ＤＥ  ９４  １４  ２３４  Ｕ１
【特許文献６】ＤＥ  ４４  １１  ５５０  Ｃ１
【発明の概要】
【発明が解決しようとする課題】
【０００６】
しかしながら、先行技術によって知られた把手固定装置は全て、金属製料理用容器及び金属把手の場合、料理用容器を使用したときに、料理用容器と把手との間の熱伝導が高くなり、一定時間後に付加的な防護手段なしでは、料理用容器の把手を掴むことが通常不可能となるという点で共通している。しかしながら、金属製料理用容器は未だに消費者間で人気があるので、比較的長い調理時間の後でも支障なく把手を掴むことが可能となるような把手を設計することができるように、例えば把手を金属で形成しないといった様々な試みが行われている。
【０００７】
本発明は、一般的なタイプの把手固定装置に対し、非常に熱くなった料理用容器の安全な取り扱いを容易に可能とする、改良された構造又は少なくとも異なる構造を付加することを課題とする。
【課題を解決するための手段】
【０００８】
本発明によれば、この問題は独立請求項の内容によって解決される。有利な実施形態が従属請求項の内容を構成する。
【０００９】
本発明は、料理用容器の把手を、専ら点状接触又は線状接触によって料理用容器に取り付けるという概念、及び、それ故に料理用容器と実際の把手との間のサーマルブリッジ又は熱伝導を最小限に抑えるという概念に基づいている。この目的を達成するために、本発明では、好ましくは料理用容器に取り外し不能に取り付けられている保持要素を含む、把手を料理用容器又はそのようなものに固定するための把手固定装置を提案する。本発明によれば、この保持要素と、例えば保持頭部を有する保持ピンといった把手側の保持装置との間に、平面接触ではなく、線状接触又は点状接触だけが存在する。本発明によれば、保持要素は弾性的なラッチ要素を有することができ、かかるラッチ要素は、把手が料理用容器に取り付けられているときに、例えば保持ピンとして形成され且つそれ故に把手を料理用容器に固定する保持装置における把手側の保持頭部の後ろ側に係合する。さらに、把手が料理用容器に取り付けられているときに、保持要素を掴み、且つ、把手側の保持頭部のための通過開口を有し、且つ、実際の把手固定装置を覆うアダプタ要素を設けることができる。上記の実施形態では、一方の保持要素と他方の把手側の保持頭部との間、換言すれば、料理用容器と把手との間には、点状接触又は線状接触だけが存在するので、料理用容器と把手との間の熱伝導が最小限に抑えられ、それ故に、実際の調理過程の間、把手の加熱を大幅に減少させることができる。本発明に係る把手固定装置によって、比較的長い調理過程の間、単一の又は複数の把手がもはや安全に掴めないほどに加熱されることなしに、金属把手を同じく金属製の料理用容器に取り付けることが可能となる。これによって、通常の調理過程の間いつ何時でも発生する、金属把手による消費者の火傷の危険なしに、消費者間で今でも大いに人気のある金属把手を使用することが可能となる。
【００１０】
本発明による解決策の有利な発展形では、アダプタ要素は、プラスティック、特にシリコーンで形成されている。このことは、一方で、極めて費用効率の良い方法でアダプタ要素を形成することを可能とし、他方で、把手固定装置が変更されたときに、素早く且つコスト効率良く、つまり射出成形型の交換によって、アダプタ要素を適合させることを可能とする。さらに、プラスティックの特性は、今日、実質的にいかなる要求にも適応することができるので、この点においてプラスティックで形成されたアダプタ要素は、明らかな利点をもたらす。
【００１１】
本発明による解決策のさらに有利な発展形では、特に金属から成り、アダプタ要素を覆う遮蔽要素が設けられている。かかる遮蔽要素は、例えばスリーブの一種として形成することができ、それ故プラスティックで形成されたアダプタ要素を覆い、且つ、それによって料理用容器から把手まで視覚的に連続した金属デザインを与える。もちろん、遮蔽要素は、料理用容器から把手への変わり目を、際立たせ、換言すると、強調し又は隠す、固有の視覚効果又は設計効果を有している。
【００１２】
本発明による解決策の有利な発展形では、保持要素は、少なくとも１つの溶接点によって、好ましくは２つの溶接点によって、料理用容器に取り付けられている。この場合にも、料理用容器から保持要素への熱伝導を、換言すると、料理用容器から把手への熱伝導をできるだけ低く維持することができるように、専ら一方の保持要素と他方の料理用容器との間の点状接触が選択される。かかる点溶接接続は、現在広く知られた固定方法であり、且つ、一方で安価に製造できるとともに、他方でその完全な耐用年数の間、料理用容器に対する信頼性のある把手の固定を可能にするほどしっかりしている。
【００１３】
本発明のさらなる重要な特徴及び利点は、従属請求項、図面、及び、図面を用いた形態に関連する記述の中に見つけ出すことができる。
【００１４】
先に述べた、及び、以下でまだ説明すべき特徴は、個々のケースで規定された組合せで用いられるのみならず、本発明の構成を逸脱しない範囲で、他の組合せ又は単独で用いられることも可能であることは自明である。
【図面の簡単な説明】
【００１５】
【図１】本発明に係る把手固定装置の分解図を様々な視点で概略的に示す。
【図２】図１と同様の図であるが、異なる把手固定装置及び異なる把手を備えたものを概略的に示す。
【図３】図１に示す把手固定装置の異なる断面図を概略的に示す。
【図４】図２に示す把手固定装置の異なる断面図を概略的に示す。
【図５】本発明に係る保持要素の第１実施形態を概略的に示す。
【図６】図５と同様の図であるが、異なる実施形態を概略的に示す。
【図７】保持装置の考え得る実施形態を概略的に示す。
【発明を実施するための形態】
【００１６】
本発明の好ましい代表的な実施形態は、同一の又は類似の又は機能的に同一の構成部品に関しては同じ参照記号を用いて、図面に示され、且つ、以下の記述においてより詳細に説明される。
【００１７】
図１に示すように、把手２を料理用容器３に固定するための本発明に係る把手固定装置１は、好ましくは取り外し不能に料理用容器３に取り付けられる、特に溶接される保持要素４を有している。保持要素４には弾性的なラッチ要素５が設けられており、かかるラッチ要素は、把手２が料理用容器３に完全に取り付けられているときに、例えば保持ピンとして形成された（図３及び４の断面図参照）保持装置７における把手側の保持頭部６の後ろ側に係合する。さらに、保持要素４を掴み、換言すると、収容でき、且つ、把手側の保持頭部６のための通過開口９を有しているアダプタ要素８が設けられている。保持頭部６又は保持装置７は、把手２の一部で形成することも（図２参照）、把手２と別個に形成して、クランプ要素１０、特にクランプ（図１参照）によって把手２に固定することも可能である。保持装置７とクランプ要素１０と把手２との溶接接続も考えられる。一方の保持要素４と、他方の把手側の保持装置７、特に他方の保持頭部６との間に、点状接触又は線状接触だけが存在するということは、本発明に必要不可欠であり、その結果として、料理用容器３から把手２への熱伝導を最小限に抑えることができる。それによって、比較的長い調理過程の間、把手２がもはや安全に掴めないほどに加熱されることなしに、金属で把手２を形成することが特に可能となる。したがって、把手２は料理用容器３から熱的に分離されている。
【００１８】
把手固定装置１は、同じく金属で形成されるのが好ましい、アダプタ要素８を覆う遮蔽要素１１を備えることができる。かかる遮蔽要素１１は、図２に例示されている。一方のアダプタ要素８と他方の遮蔽要素１１との間の固定は、例えば、アダプタ要素８に形成され、且つ、把手２が料理用容器３に取り付けられているときに、把手２又は遮蔽要素１１に相補的に形成されたラッチ穴１３と相互に作用するラッチ突起１２によって達成することができる。図１に示す把手固定装置１では、遮蔽要素１１の役割は、中空断面として形成され、且つ、アダプタ要素側のラッチ突起１２が少なくとも把手側のラッチ穴１３にラッチするまで、アダプタ要素８に押し込むことが可能な、把手２それ自身によって受け持たれる。図２に示す把手２が中空でないという事実は、後者はアダプタ要素８を掴むことができないということを意味し、そのためこの場合には、遮蔽要素１１が設けられている。この遮蔽要素１１は、原則として、料理用容器３と把手２との間の変わり目を際立たせ、換言すると、強調し又は隠すように構成することができる。
【００１９】
保持要素４は、少なくとも１つの、好ましくは２つの溶接点によって、料理用容器３に取り付けられており、その結果として、一方の保持要素４と他方の料理用容器３との間には点状接触だけが存在する。把手２を料理用容器３に固定するために、先ず、アダプタ要素８が保持要素４に押し込まれ、その後、把手２がその保持装置／ピン７とともに、保持要素４のラッチ要素５にラッチするまで、アダプタ要素８の通過開口９に押し入れられる。遮蔽要素１１もまた、把手２の実施形態に応じて設けることができる。保持装置７の保持頭部６に対するラッチ要素５のラッチングは、特に図３及び４のＣ−Ｃ断面図ではっきりと見ることができる。
【００２０】
把手２をできるだけしっかりと料理用容器３に取り付けるために、アダプタ要素８及び／又は遮蔽要素１１、又は他の実施形態では把手２それ自身が、料理用容器３に支持され、且つ、料理用容器３に対してぴったり合う形になっている。
【００２１】
特に図５及び６を見れば、保持要素４が、保持ピン７の保持頭部６の後ろ側に係合するラッチ要素５が２つのＵ脚に接続するウェブ１４に形成されている、Ｕ字状の横断面を有していることに気づくことができる。しかし、保持要素４は、その他の中空形状を有することも可能である。保持要素４は、簡単且つ費用効率の良い打抜き及び成形加工によって製造することができる、通常費用効率の良い金属薄板部として形成することができる。対照的に、アダプタ要素８は、プラスティック、特にシリコーンで形成されているのが好ましく、それ故に事実上いかなる形状及び事実上いかなる性質にも製造することが可能である。
【００２２】
料理用容器３と把手２との間の熱伝導をさらに最小限に抑えることができるように、図６に例として示すように、保持要素４が櫛形のＵ脚を有するようにしても良い。これらの不連続のＵ脚によって、保持要素４と保持装置７との間の接触面積をさらに減少させることができ、その結果として同様に、熱伝導率を減少させることができる。保持ピン７も同様なやり方で構成し（図７参照）且つ軸方向に不連続の外周を有することができる。本発明に係る把手固定装置１の目的は、たとえ比較的長い調理過程の後でも、安全な把握が不可能になるくらい把手２が熱くならないほどに、把手２と料理用容器３との間の接触面積を減少させることである。
【００２３】
保持要素４と把手側の保持装置７との間の熱伝導をさらに減少させることができるように、保持装置７を保持要素４から隔離する絶縁要素１５又はコーティングを、保持要素４と保持装置７との間に、必要に応じて設けることも可能である。絶縁要素１５又は断熱コーティングは、図１に破線で示されている。
【００２４】
本発明に係る把手固定装置１は、通常、詳しくは説明しないが、異なるアダプタ要素８、異なる保持要素４、異なる保持装置７などを含み、且つ、それによって異なる把手２又は異なる料理用容器３に簡単に適合させることができるモジュール組立システムの一部とすることができる。本発明に係る把手固定装置１によれば、料理用容器３を使用している間、周知の金属把手要素に比べて大幅に加熱が減少しているのを消費者が経験することで、現在特に消費者に人気のある金属把手要素を広く認識させることが可能となる。
【図１】
0005492203.tif 000002
【図２】
0005492203.tif 000003
【図３】
0005492203.tif 000004
【図４】
0005492203.tif 000005
【図５】
0005492203.tif 000006
【図６】
0005492203.tif 000007
【図７】
0005492203.tif 000008